(57)【特許請求の範囲】
【請求項１】
複数の周波数チャネルのそれぞれに対して出力チップを発生させ、各周波数チャネルに対する前記出力チップを異なる周波数にデジタル的にアップコンバートして、前記周波数チャネルに対するアップコンバートされたサンプルを取得し、前記複数の周波数チャネルに対する前記アップコンバートされたサンプルを合成して、前記複数の周波数チャネルに対する信号を含む複合サンプルを取得する少なくとも１つのプロセッサと、
前記少なくとも１つのプロセッサに結合されているメモリとを具備し、
前記少なくとも１つのプロセッサは、
少なくとも１つのロングコードを発生させ、
前記少なくとも１つのロングコードの中から指定されたロングコードに基づいて、前記複数の周波数チャネルに対する第１の組の物理層チャネルに対して拡散を実行し、
前記少なくとも１つのロングコードの中から選択されたロングコードに基づいて、前記複数の周波数チャネルに対する第２の組の物理層チャネルに対して拡散を実行し、
各周波数チャネルに対して、前記周波数チャネルに対する前記第１の組の物理層チャネルに対する拡散チップと、前記周波数チャネルにマッピングされた前記第２の組の物理層チャネルに対する拡散チップとを合成して、前記周波数チャネルに対する前記出力チップを取得する装置。
【請求項２】
前記少なくとも１つのプロセッサは、前記周波数チャネルに対する送信電力によって決定された利得に基づいて、各周波数チャネルに対して前記出力チップを発生させる請求項１記載の装置。
【請求項３】
前記少なくとも１つのプロセッサは、
各周波数チャネルに対する前記出力チップをデジタル的にフィルタリングして、アップサンプリングし、前記周波数チャネルに対するフィルタリングされたサンプルを取得し、
各周波数チャネルに対する前記フィルタリングされたサンプルをデジタル的にアップコンバートして、前記周波数チャネルに対する前記アップコンバートされたサンプルを取得する請求項１記載の装置。
【請求項４】
前記少なくとも１つのプロセッサは、座標回転デジタルコンピュータ（ＣＯＲＤＩＣ）計算に基づいて、各周波数チャネルに対する前記フィルタリングされたサンプルをデジタル的にアップコンバートする請求項３記載の装置。
【請求項５】
前記少なくとも１つのプロセッサは、複数のパイプラインステージにおいて、各フィルタリングされたサンプルに対してＣＯＲＤＩＣ計算の複数の反復を実行し、前記フィルタリングされたサンプルを特定の位相分だけ回転させる請求項４記載の装置。
【請求項６】
前記少なくとも１つのプロセッサは、前記複合サンプル上でプリディストーションを実行して、無線周波数（ＲＦ）へのアナログ直角位相アップコンバートの利得および位相不整合を補償する請求項１記載の装置。
【請求項７】
前記少なくとも１つのプロセッサは、第１のサンプルレートから、選択可能である第２のサンプルレートに前記複合サンプルをアップサンプリングする請求項１記載の装置。
【請求項８】
前記少なくとも１つのプロセッサは、異なるロングコードに基づいて、前記複数の周波数チャネルのそれぞれに対する前記第２の組の物理層チャネルに対して拡散を実行する請求項１記載の装置。
【請求項９】
前記少なくとも１つのプロセッサは、前記少なくとも１つのロングコードの中からの少なくとも２つの異なるロングコードに基づいて、前記複数の周波数チャネルのうちの少なくとも２つのサブセットに対する前記第２の組の物理層チャネルに対して拡散を実行する請求項１記載の装置。
【請求項１０】
前記第１の組の物理層チャネルは、データチャネル、パイロットチャネル、リバースレートインジケータ（ＲＲＩ）チャネル、および補助パイロットチャネルのうちの少なくとも１つを備える請求項１記載の装置。
【請求項１１】
前記第２の組の物理層チャネルは、データレート制御（ＤＲＣ）チャネル、肯定応答（ＡＣＫ）チャネル、およびデータ源制御（ＤＳＣ）チャネルのうちの少なくとも１つを備える請求項１記載の装置。
【請求項１２】
前記複数の周波数チャネルは、高レートパケットデータ（ＨＲＰＤ）システムにおける複数のコード分割多元接続（ＣＤＭＡ）チャネルに対応している請求項１記載の装置。
【請求項１３】
複数の周波数チャネルのそれぞれに対して出力チップを発生させることと、
各周波数チャネルに対する前記出力チップを異なる周波数にデジタル的にアップコンバートして、前記周波数チャネルに対するアップコンバートされたサンプルを取得することと、
前記複数の周波数チャネルに対する前記アップコンバートされたサンプルを合成して、前記複数の周波数チャネルに対する信号を含む複合サンプルを取得することとを含み、
前記出力チップを発生させることは、
少なくとも１つのロングコードを発生させることと、
前記少なくとも１つのロングコードの中から指定されたロングコードに基づいて、前記複数の周波数チャネルに対する第１の組の物理層チャネルに対して拡散を実行することと、
前記少なくとも１つのロングコードの中から選択されたロングコードに基づいて、前記複数の周波数チャネルに対する第２の組の物理層チャネルに対して拡散を実行することと、
各周波数チャネルに対して、前記周波数チャネルに対する前記第１の組の物理層チャネルに対する拡散チップと、前記周波数チャネルにマッピングされた前記第２の組の物理層チャネルに対する拡散チップとを合成して、前記周波数チャネルに対する前記出力チップを取得することとを含む方法。
【請求項１４】
各周波数チャネルに対する前記出力チップをデジタル的にフィルタリングして、アップサンプリングし、前記周波数チャネルに対するフィルタリングされたサンプルを取得することをさらに含み、
各周波数チャネルに対する前記フィルタリングされたサンプルは、前記周波数チャネルに対する前記アップコンバートされたサンプルを取得するためにデジタル的にアップコンバートされる請求項１３記載の方法。
【請求項１５】
前記複合サンプル上でプリディストーションを実行して、無線周波数（ＲＦ）へのアナログ直角位相アップコンバートの利得および位相不整合を補償することをさらに含む請求項１３記載の方法。
【請求項１６】
第１のサンプルレートから、選択可能である第２のサンプルレートに前記複合サンプルをアップサンプリングすることをさらに含む請求項１３記載の方法。
【請求項１７】
複数の周波数チャネルのそれぞれに対して出力チップを発生させる手段と、
各周波数チャネルに対する前記出力チップを異なる周波数にデジタル的にアップコンバートして、前記周波数チャネルに対するアップコンバートされたサンプルを取得する手段と、
前記複数の周波数チャネルに対する前記アップコンバートされたサンプルを合成して、前記複数の周波数チャネルに対する信号を含む複合サンプルを取得する手段とを具備し、
前記出力チップを発生させる手段は、
少なくとも１つのロングコードを発生させる手段と、
前記少なくとも１つのロングコードの中から指定されたロングコードに基づいて、前記複数の周波数チャネルに対する第１の組の物理層チャネルに対して拡散を実行する手段と、
前記少なくとも１つのロングコードの中から選択されたロングコードに基づいて、前記複数の周波数チャネルに対する第２の組の物理層チャネルに対して拡散を実行する手段と、
各周波数チャネルに対して、前記周波数チャネルに対する前記第１の組の物理層チャネルに対する拡散チップと、前記周波数チャネルにマッピングされた前記第２の組の物理層チャネルに対する拡散チップとを合成して、前記周波数チャネルに対する前記出力チップを取得する手段とを備える装置。
【請求項１８】
各周波数チャネルに対する前記出力チップをデジタル的にフィルタリングして、アップサンプリングし、前記周波数チャネルに対するフィルタリングされたサンプルを取得する手段をさらに具備し、
各周波数チャネルに対する前記フィルタリングされたサンプルは、前記周波数チャネルに対する前記アップコンバートされたサンプルを取得するためにデジタル的にアップコンバートされる請求項１７記載の装置。
【請求項１９】
前記複合サンプル上でプリディストーションを実行して、無線周波数（ＲＦ）へのアナログ直角位相アップコンバートの利得および位相不整合を補償する手段をさらに具備する請求項１７記載の装置。
【請求項２０】
第１のサンプルレートから、選択可能である第２のサンプルレートに前記複合サンプルをアップサンプリングする手段をさらに具備する請求項１７記載の装置。
【請求項２１】
コンピュータ読み取り可能な記憶媒体において、
複数の周波数チャネルのそれぞれに対して出力チップをコンピュータに発生させるためのコードと、
各周波数チャネルに対する前記出力チップを異なる周波数へ、前記コンピュータにデジタル的にアップコンバートさせて、前記周波数チャネルに対するアップコンバートされたサンプルを取得させるためのコードと、
前記複数の周波数チャネルに対する前記アップコンバートされたサンプルを、前記コンピュータに合成させて、前記複数の周波数チャネルに対する信号を含む複合サンプルを取得させるためのコードとを含み、
前記出力チップをコンピュータに発生させるためのコードは、
前記コンピュータに少なくとも１つのロングコードを発生させるためのコードと、
前記少なくとも１つのロングコードの中から指定されたロングコードに基づいて、前記コンピュータに前記複数の周波数チャネルに対する第１の組の物理層チャネルに対して拡散を実行させるためのコードと、
前記少なくとも１つのロングコードの中から選択されたロングコードに基づいて、前記コンピュータに前記複数の周波数チャネルに対する第２の組の物理層チャネルに対して拡散を実行させるためのコードと、
各周波数チャネルに対して、前記周波数チャネルに対する前記第１の組の物理層チャネルに対する拡散チップと、前記周波数チャネルにマッピングされた前記第２の組の物理層チャネルに対する拡散チップとを前記コンピュータに合成させて、前記周波数チャネルに対する前記出力チップを取得させるためのコードとを含むコンピュータ読み取り可能な記憶媒体。
【発明の詳細な説明】
【関連出願】
【０００１】
本出願は、「単一のＲＦ送信チェーンによる複数のデータチャネルの変調」と題された２００６年７月１４日に出願された米国仮特許出願第６０／８３１，００４号に対する優先権を主張しており、この米国仮出願は本願の譲受人に譲渡され、参照により明確にここに組み込まれている。
【技術分野】
【０００２】
本開示は、一般的に、通信に関する。さらに詳細に説明すると、ワイヤレス通信システムのための送信機に関する。
【背景】
【０００３】
音声、ビデオ、パケットデータ、メッセージング、ブロードキャスト等のようなさまざまな通信サービスを提供するために、ワイヤレス通信システムが広範囲に展開されている。これらのシステムは、利用可能なシステムリソースを共有することによって、複数のユーザをサポートすることが可能な多元接続システムであってもよい。このような多元接続システムの例は、コード分割多元接続（ＣＤＭＡ）システム、時間分割多元接続（ＴＤＭＡ）システム、周波数分割多元接続（ＦＤＭＡ）システム、直交ＦＤＭＡ（ＯＦＤＭＡ）システム、および単一搬送波ＦＤＭＡ（ＳＣ−ＦＤＭＡ）システムを含む。
【０００４】
ユーザの数はもちろんのこと、より高いデータ要求を伴う新しいアプリケーションの出現の増加が原因で、継続的に、ワイヤレス通信システムに対するデータ利用が増えている。システムは、好ましいチャネル条件の下、１つの周波数チャネル上で特定の最大データレートをサポートする。この最大レートは、一般的に、システム設計によって決定される。容量を増加させるために、システムは、送信のために複数の周波数チャネルを利用する。しかしながら、複数の周波数チャネル上での送信をサポートするために、送信機の設計の複雑さおよびコストは、実質的に増加する可能性がある。
【０００５】
したがって、複数の周波数チャネル上での動作をサポートできるコスト効率のよい送信機が技術的に必要である。
【概要】
【０００６】
単一の無線周波数（ＲＦ）送信チェーンを使用して、１つまたは複数の周波数チャネルを同時に送信することができる多重搬送波送信機についてここで説明する。単一のＲＦ送信チェーンは、広帯域であってもよく、特定の最大数（Ｔ）個の周波数チャネル向けに設計してもよい。この単一のＲＦ送信チェーンを使用して、Ｔ個までの周波数チャネル上で同時にＴ個までの信号を送信してもよい。
【０００７】
１つの設計では、多重搬送波送信機は、少なくとも１つのプロセッサと、１つのＲＦ送信チェーンとを備える。プロセッサは、高レートパケットデータ（ＨＲＰＤ）システムのような特定のシステムにしたがって、複数の周波数チャネルのそれぞれに対して出力チップを発生させてもよい。各周波数チャネルに対する出力チップは、その周波数チャネルに対する送信電力に基づいて選択された利得でスケーリングしてもよい。プロセッサは、各周波数チャネルに対する出力チップをデジタル的にフィルタリングして、アップサンプリングし、フィルタリングされたサンプルを取得し、そして、各周波数チャネルに対するフィルタリングされたサンプルを異なる周波数にデジタル的にアップコンバートして、アップコンバートされたサンプルを取得する。プロセッサは、複数の周波数チャネルに対するアップコンバートされたサンプルを合成して、複合サンプルを取得し、複合サンプル上でプリディストーションを実行して、後続するアナログ直角位相アップコンバートの利得および位相不整合を補償し、プリディストーションされたサンプルをアップサンプリングして、出力サンプルを取得する。出力サンプルは、広帯域デジタルアナログ変換器（ＤＡＣ）によってアナログ信号に変換してもよい。ＲＦ送信チェーンは、アナログ信号を処理（例えば、フィルタリング、直角位相アップコンバート、および増幅）して、ＲＦ出力信号を発生させてもよい。
【０００８】
本開示のさまざまな観点および特徴についてさらに詳細に以下で説明する。
【図面の簡単な説明】
【０００９】
【図１】図１は、複数のＣＤＭＡチャネル上でのＣＤＭＡ信号の送信を示している。
【図２】図２は、多重搬送波送信機のブロック図を示している。
【図３】図３は、ＨＲＰＤおけるフィードバックのない多重化モードの処理を示している。
【図４】図４は、ＨＲＰＤおけるベーシックフィードバック多重化モードの処理を示している。
【図５】図５は、ＨＲＰＤおける強化された多重化モードの処理を示している。
【図６】図６は、ＨＲＰＤおける３つすべてのフィードバック多重化モードのためのデータプロセッサを示している。
【図７】図７は、図６におけるＣＤＭＡチャネルプロセッサのブロック図を示している。
【図８】図８は、デジタルフィルタおよびローテータのブロック図を示している。
【図９】図９は、ポストプロセッサのブロック図を示している。
【図１０】図１０は、複数の周波数チャネル上での送信のためのプロセスを示している。
【図１１】図１１は、ＲＦ送信機チェーンによって実行されるプロセスを示している。
【詳細な説明】
【００１０】
ＣＤＭＡ、ＴＤＭＡ、ＦＤＭＡ、ＯＦＤＭＡ、およびＳＣ−ＦＤＭＡシステムのような、さまざまなワイヤレス通信システムに対して、ここで説明する多重搬送波送信機を使用してもよい。「システム」および「ネットワーク」という用語は、互換性があるようにして使用されることが多い。ＣＤＭＡシステムは、ｃｄｍａ２０００、ユニバーサル地上無線アクセス（ＵＴＲＡ）等のような無線技術を実現してもよい。ｃｄｍａ２０００は、ＩＳ−２０００、ＩＳ−９５、およびＩＳ−８５６標準規格をカバーする。ＵＴＲＡは、広帯域ＣＤＭＡ（Ｗ−ＣＤＭＡ）および低チップレート（ＬＣＲ）を含む。ＴＤＭＡシステムは、グローバルシステムフォーモバイル通信（ＧＳＭ（登録商標））のような無線技術を実現してもよい。ＯＦＤＭＡシステムは、進化したＵＴＲＡ（Ｅ−ＵＴＲＡ）や、ＩＥＥＥ８０２．１１や、ＩＥＥＥ８０２．１６や、ＩＥＥＥ８０２．２０や、フラッシュＯＦＤＭ（登録商標）等のような無線技術を実現してもよい。これらのさまざまな無線技術および標準規格は、技術的に知られている。ＵＴＲＡ、Ｅ−ＵＴＲＡ、およびＧＳＭは、「第３世代パートナーシッププロジェクト」（３ＧＰＰ）と名付けられている機関による文書に記述されている。ｃｄｍａ２０００は、「第３世代パートナーシッププロジェクト２」（３ＧＰＰ２）と名付けられている機関による文書に記述されている。３ＧＰＰおよび３ＧＰＰ２文書は、公的に入手可能である。
【００１１】
理解しやすいように、多重搬送波送信機のある観点は、ＩＳ−８５６を実現するＨＲＰＤシステムについて説明されている。ＨＲＰＤは、ＣＤＭＡ２０００ １ｘＥＶ−ＤＯ（最適化された進化データ）や、１ｘＥＶ−ＤＯや、１ｘ−ＤＯや、ＤＯや、高データレート（ＨＤＲ）等とも呼ばれる。「ＨＲＰＤ」、「ＥＶ−ＤＯ」、および「ＤＯ」という用語は、互換性があるようにして使用されることが多い。ＨＲＰＤは、２００７年３月付けの「ｃｄｍａ２０００高レートパケットデータ無線インターフェース仕様」と題された３ＧＰＰ２ Ｃ.Ｓ００２４−Ｂにおいて説明されており、これは、公的に入手可能である。理解しやすいように、以下の説明の大部分では、ＨＲＰＤ技術を用いる。
【００１２】
アクセス端末ならびにアクセスポイントに対して、ここで説明する多重搬送波送信機を使用してもよい。アクセスポイントは、一般的に、アクセス端末と通信する固定局であり、基地局、ノードＢ等と呼ばれることがある。アクセス端末は、静的でも、あるいは動的であってもよく、移動局、ユーザ機器（ＵＥ）、移動機器、端末、加入者ユニット、局等と呼ばれることがある。アクセス端末は、セルラ電話機、パーソナルデジタルアシスタント（ＰＤＡ）、ハンドセット、ワイヤレス通信デバイス、ハンドヘルドデバイス、ワイヤレスモデム、ラップトップコンピュータ等であってもよい。理解しやすいように、アクセス端末に対する多重搬送波送信機の使用について以下で説明する。
【００１３】
多重搬送波送信機は、１つまたは複数のＣＤＭＡ信号を同時に送信することができる。各ＣＤＭＡ信号は、異なるＣＤＭＡチャネル上で送信してもよい。ＣＤＭＡチャネルは、１つのＣＤＭＡ信号に対する周波数チャネルであり、ＨＲＰＤにおいて１．２２８８ＭＨｚ幅である。ＣＤＭＡチャネルは、一般的に、搬送波とも呼ばれる。
【００１４】
図１は、Ｎ個のＣＤＭＡチャネル上でのＮ個のＣＤＭＡ信号の例示的な送信を示している。ここでは、一般的に、
【数１】
0005475022.tif 000002
【００１５】
であり、また、多重搬送波動作についてはＮ＞１である。この例では、ＣＤＭＡチャネル１はｆch1の搬送波周波数を有し、ＣＤＭＡチャネル２はｆch2の搬送波周波数等を有し、そして、ＣＤＭＡチャネルＮはｆchNの搬送波周波数を有している。一般的に、ＣＤＭＡチャネルがチャネル間の干渉を減らすために十分に遠く離れて配置されるように、搬送波周波数は選択される。一般的に、Ｎ個のＣＤＭＡチャネルの搬送波周波数は、互いに関係があってもなくてもよい。最低限のチャネル間の間隔基準を条件として、各ＣＤＭＡチャネルの搬送波周波数は独立して選択してもよい。搬送波周波数は、周波数にわたって均等に間隔が空けられてもよく、また、ｆspacingの固定された周波数間隔によって分けられてもよく、ｆspacingは、１．２２８８ＭＨｚ、あるいは何らかのより大きい値であってもよい。Ｎ個のＣＤＭＡ信号は、（図１で示したような）異なる電力レベルまたは同じ電力レベルで送信してもよい。Ｎ個のＣＤＭＡ信号は、音声、ビデオ、パケットデータ、テキストメッセージング等のような、何らかのサービスに対する任意のタイプのデータを伝えてもよい。Ｎ個のＣＤＭＡ信号は、同じアクセスポイントまたは異なるアクセスポイントに送信してもよい。
【００１６】
コストを減少させ、電力消費を低下させて、信頼性を高め、他の利益を得るために、可能な限り小さい回路を使用して、１つまたは複数のＣＤＭＡチャネルの送信をサポートすることが好ましい。Ｔ個の異なるＲＦ送信チェーンを使用して、Ｔ個までのＣＤＭＡチャネルに対してＴ個までのＣＤＭＡ信号を発生させてもよい。ここで、Ｔは、同時に送信することができるＣＤＭＡ信号の最大数である。しかしながら、Ｔ個のＲＦ送信チェーンによって、アクセス端末のコストが非常に増加することがある。
【００１７】
ある観点において、多重搬送波送信機は、単一のＲＦ送信チェーンを使用して、Ｔ個までの異なるＣＤＭＡチャネル上でのＴ個までのＣＤＭＡ信号の同時送信をサポートする。単一のＲＦ送信チェーンは、広帯域であってもよく、Ｔ個の隣接ＣＤＭＡチャネル向けに設計してもよい。ここで、Ｔは、何らかの適切な値であってもよい。Ｎ個のＣＤＭＡ信号は、この単一のＲＦ送信チェーンを使用して送信してもよく、ここで、Ｎは、Ｔまでであってもよい。多重搬送波送信機は、単一のＲＦ送信チェーンの使用のために、電力効率もよく、費用対効果も大きい。
【００１８】
図２は、多重搬送波送信機２００の設計のブロック図を示しており、この多重搬送波送信機２００は、アクセス端末に対して使用してもよい。多重搬送波送信機２００は、デジタルセクション２０２とＲＦ送信チェーン２０４とを備えている。
【００１９】
デジタルセクション２０２内で、データプロセッサ２１０は、データ、パイロット、および制御情報を処理し、Ｎ個のＣＤＭＡ信号に対してＮ個の出力チップストリームをＮ個のデジタルフィルタ２１２ａないし２１２ｎに提供する。一般的に、チップは１つのチップ期間において送信される複素値であり、１つのチップ期間はシステムによって決定された持続期間である。各出力チップストリームは、チップレート（ｃｘ１）であってもよく、これは、ＨＲＰＤについては１．２２８８メガチップ／秒（Ｍｃｐｓ）である。各デジタルフィルタ２１２は、この出力チップストリームをフィルタリングして、アップサンプリングを実行し、フィルタリングされたサンプルストリームをローテータ２１４に提供する。各フィルタリングされたサンプルストリームは、ｆsampleのサンプルレートであってもよい。サンプルレートは、同時に送信することができるＣＤＭＡの最大数に基づいて、固定されて選択されてもよい。代わりに、サンプルレートは、同時に送信されているＣＤＭＡ信号の数に基づいて構成可能であり、選択されてもよい。各ローテータ２１４は、デジタルアップコンバータとして動作し、そのフィルタリングされたサンプルストリームをデジタルローカル発振器（ＬＯ）信号によって周波数アップコンバートして、アップコンバートされたサンプルストリームを提供する。ＣＤＭＡチャネルｎ上で送信されるＣＤＭＡ信号に対するデジタルＬＯ信号は、ｆnの周波数を有しており、これは、ＣＤＭＡチャネルｎの搬送波周波数ｆchnと、ＲＦへのアップコンバートに対して使用されるアナログＬＯ信号の周波数ｆcとによって決定される。加算器２１６は、Ｎ個のローテータ２１４ａないし２１４ｎからのＮ個のアップコンバートされたサンプルストリームを受け取って合計し、複合サンプルストリームを提供する。ポストプロセッサ２１８は、複合サンプルストリーム上でポスト処理を実行して、出力サンプルストリームを提供する。ＤＡＣ２２０は、出力サンプルストリームをアナログに変換し、Ｎ個のＣＤＭＡ信号を含むアナログベースバンド信号を提供する。
【００２０】
ＲＦ送信チェーンは、スーパーヘテロダイン式アーキテクチャまたは直接変換式アーキテクチャで実現してもよい。スーパーヘテロダイン式アーキテクチャでは、ベースバンド信号は、複数のステージで周波数アップコンバートされ、例えば、１つのステージでベースバンドから中間周波数（ＩＦ）に周波数アップコンバートされてから、別のステージでＩＦからＲＦに周波数アップコンバートされる。直接変換式アーキテクチャは、ゼロＩＦアーキテクチャとも呼ばれるが、ベースバンド信号は、１つのステージでベースバンドからＲＦに直接的に周波数アップコンバートされる。スーパーヘテロダイン式および直接変換式アーキテクチャは、異なる回路ブロックを使用してもよく、ならびに／あるいは異なる回路必要条件を有していてもよい。以下の説明では、直接変換式アーキテクチャの使用を仮定している。
【００２１】
ＲＦ送信チェーン２０４内で、アナログローパスフィルタ２２２は、ＤＡＣ２２０からのアナログベースバンド信号をフィルタリングして、デジタルアナログ変換によって生じた影像を除去し、フィルタリングされた信号を提供する。ミキサ２２４は、ＬＯ発生器２２６からのアナログＬＯ信号で、フィルタリングされた信号をベースバンドからＲＦに周波数アップコンバートする。ＬＯ発生器２２６は、電圧制御発振器（ＶＣＯ）、位相ロックループ（ＰＬＬ）、基準発振器等を備えていてもよい。可変利得増幅器（ＶＧＡ）２２８は、ミキサ２２４からのアップコンバートされた信号を可変利得で増幅させる。バンドパスフィルタ２３０は、ＶＧＡ２２８からの信号をフィルタリングして、周波数アップコンバートによって生じた影像を除去する。バンドパスフィルタ２３０は、表面弾性波（ＳＡＷ）フィルタ、セラミックフィルタ、あるいは他のいくつかのタイプのフィルタであってもよい。電力増幅器（ＰＡ）２３２は、フィルタ２３０からの信号を増幅させ、適切な電力レベルを有するＲＦ出力信号を提供する。ＲＦ出力信号は、デュプレクサ２３４を通してルーティングされ、アンテナ２３６を経由して送信される。図２に示したように、データプロセッサ２１０からミキサ２２４に対する信号は、一般的に、同位相（Ｉ）および直角位相（Ｑ）成分を有する複素信号である。
【００２２】
ＤＡＣ２２０およびＲＦ送信チェーン２０４は、Ｎ個のＣＤＭＡチャネル上でのＮ個のＣＤＭＡ信号の同時送信をサポートするために広帯域であってもよい。ＤＡＣ２２０は、十分な高クロックレートで動作してもよく、Ｎ個すべてのＣＤＭＡ信号を含むデジタルサンプルストリームの変換のために十分な分解能を有していてもよい。アナログローパスフィルタ２２２は、同時に送信されているＣＤＭＡ信号のすべてを送るために十分に幅広い固定または可変帯域幅を有していてもよい。後続するアナログ回路ブロックもまた、ＣＤＭＡ信号のすべてを送るために広帯域であってもよい。バンドパスフィルタ２３０は、広帯域であってもよく、また、全体的な周波数帯域、例えば、セルラ帯域については８２４から８４９ＭＨｚ、そして、パーソナル通信サービス（ＰＣＳ）帯域については１８５０から１９１０ＭＨｚを送ってもよい。
【００２３】
図２は、ＲＦ送信チェーン２０４の特定の設計を示している。一般的に、ＲＦ送信チェーンは、増幅器、フィルタ、ミキサ等の１つ以上のステージを含んでいてもよい。これらの回路ブロックは、図２に示した構成とは異なって構成してもよい。ＲＦ送信チェーンはまた、図２に示していない異なるおよび／または付加的な回路ブロックを含んでいてもよい。ＲＦ送信チェーン２０４のすべてまたは一部は、１つ以上のＲＦ集積回路（ＲＦＩＣ）、混合信号ＩＣ等上で実現してもよい。例えば、アナログローパスフィルタ２２２、ミキサ２２４、ＬＯ発生器２２６、およびＶＧＡ２２８は、ＲＦＩＣ、例えば、ＲＦ送信機（ＲＦＴ）またはＲＦ送信機／受信機（ＲＴＲ）チップ上で実現してもよい。
【００２４】
データプロセッサ２１０は、データ送信および他の機能のためのさまざまな処理ユニットを備えていてもよい。例えば、データプロセッサ２１０は、デジタル信号プロセッサ（ＤＳＰ）、縮小命令セットコンピュータ（ＲＩＳＣ）プロセッサ、中央処理ユニット（ＣＰＵ）等を備えていてもよい。制御装置／プロセッサ２４０は、多重搬送波送信機２００の動作を制御してもよい。メモリ２４２は、多重搬送波送信機２００のプログラムコードおよびデータを記憶してもよい。データプロセッサ２１０、制御装置／プロセッサ２４０、および／またはメモリ２４２は、１つ以上の特定用途向け集積回路（ＡＳＩＣ）および／または他のＩＣ上で実現してもよい。
【００２５】
多重搬送波送信機２００は、１つ以上のＣＤＭＡチャネルを受け取ることができる多重搬送波受信機と併用して使用してもよい。デュプレクサ２３４は、アンテナ２３６からら多重搬送波受信機に対してＲＦ受信信号をルーティングしてもよいが、これは図２に示していない。多重搬送波受信機は、ＲＦ受信信号を処理して、１つ以上のＣＤＭＡチャネル上で送信されたデータおよび制御情報を回復させてもよい。
【００２６】
ＨＲＰＤでは、アクセス端末が、ＣＤＭＡ信号における１つ以上のデータチャネル、パイロットチャネル、リバースレートインジケータ（ＲＲＩ）チャネル、補助パイロットチャネル、データレート制御（ＤＲＣ）チャネル、肯定応答（ＡＣＫ）チャネル、およびデータ源制御（ＤＳＣ）チャネルを、リバースリンク上でアクセスポイントに送信してもよい。データチャネルは、ユーザデータを伝える。パイロットチャネルは、アクセス端末およびアクセスポイントによってアプリオリに知られているデータであるパイロットを伝える。補助パイロットチャネルは、付加的なパイロットを伝える。ＲＲＩチャネルは、データチャネルのレートを示す。ＤＲＣチャネルは、フォワードトラフィックチャネルをアクセス端末が受け取ることができるレートと、フォワードトラフィックチャネルをアクセス端末が受け取ることを望むセクタとを示す。ＤＳＣチャネルは、フォワードトラフィックチャネルをアクセス端末が受け取ることを望むデータ源を示す。ＡＣＫチャネルは、フォワードトラフィックチャネル上でのデータ受け取りの成功または失敗を示す。ＤＲＣ、ＡＣＫ、およびＤＳＣチャネルは、フォワードリンク上でのデータ送信をサポートするためにリバースリンク上で送信される。ＤＲＣ、ＡＣＫ、およびＤＳＣチャネルは、フォワードリンクに対するリバースオーバーヘッドチャネル、または単に、ＲＯＣチャネルと呼ばれることもある。
【００２７】
アクセス端末は、１つ以上のフォワードＣＤＭＡチャネル上でデータを受け取ってもよく、１つ以上のリバースＣＤＭＡチャネル上でデータを送信してもよい。フォワードＣＤＭＡチャネルは、フォワードリンク上のＣＤＭＡチャネルである。リバースＣＤＭＡチャネルは、リバースリンク上のＣＤＭＡチャネルである。ＨＲＰＤは、フォワードＣＤＭＡチャネルに対するＲＯＣチャネルを送信する３つのモードをサポートする。
【００２８】
フィードバックのない多重化モードでは、各フォワードＣＤＭＡチャネルは、異なるリバースＣＤＭＡチャネルに関係している。各フォワードＣＤＭＡチャネルに対するＲＯＣチャネルは、関係するリバースＣＤＭＡチャネル上で送信される。すべてのリバースＣＤＭＡチャネルに対して拡散するために、１つのユーザロングコードが使用される。ユーザロングコードは、アクセス端末に特有である擬似ランダム数（ＰＮ）シーケンスである。
【００２９】
ベーシックフィードバック多重化モードでは、複数のフォワードＣＤＭＡチャネルは、所定のリバースＣＤＭＡチャネルに関係していてもよい。これらの複数のフォワードＣＤＭＡチャネルに対するＲＯＣチャネルは、異なるロングコード、すなわち、各フォワードＣＤＭＡチャネルにつき１つのロングコードを使用して、関係するリバースＣＤＭＡチャネル上で送信される。これは、異なるフォワードＣＤＭＡに対してＲＯＣチャネルを区別することを可能にする。
【００３０】
強化されたフィードバック多重化モードでは、１６個までのフォワードＣＤＭＡチャネルが、所定のリバースＣＤＭＡチャネルに関係していてもよい。４つまでのフォワードＣＤＭＡチャネルに対するＲＯＣチャネルは、時間的に、および／または、異なるウォルシュコードで多重化され、そして、異なるロングコードを使用して、関係するリバースＣＤＭＡチャネル上で送信されてもよい。
【００３１】
表１は、ＨＲＰＤにおける３つのフィードバック多重化モードをリスト表示し、各モードのための短い説明を提供している。
【表１】
0005475022.tif 000003
【００３２】
図３は、フィードバックのない多重化モードの処理を示している。Ｎ個のＣＤＭＡチャネルプロセッサ３１０ａないし３１０ｎは、Ｎ個のリバースＣＤＭＡチャネル１ないしＮに対して処理をそれぞれ実行する。ＣＤＭＡチャネルプロセッサ３１０ａ内で、データおよびオーバーヘッドプロセッサ３２０ａが、（ｉ）リバースＣＤＭＡチャネル１に対するデータ、パイロット、ＲＲＩ、および補助パイロットチャネルと、（ｉｉ）関係するフォワードＣＤＭＡチャネルに対するＲＯＣチャネル（ＤＲＣ、ＡＣＫ、およびＤＳＣチャネル）とに対して処理を実行する。直角位相拡散器３３０ａは、プロセッサ３２０ａからのチップをユーザロングコードで拡散し、リバースＣＤＭＡチャネル１に対して出力チップを提供する。ＣＤＭＡチャネルプロセッサ３１０ｂないし３１０ｎは、それぞれ、リバースＣＤＭＡチャネル２ないしＮに対する処理を類似した方法で実行する。Ｎ個すべてのリバースＣＤＭＡチャネルに対して、同じユーザロングコードが使用される。
【００３３】
図４は、ベーシックフィードバック多重化モードの処理を示している。Ｎ個のＣＤＭＡチャネルプロセッサ４１０ａないし４１０ｎは、それぞれ、Ｎ個のリバースＣＤＭＡチャネル１ないしＮに対して処理を実行する。ＣＤＭＡチャネルプロセッサ４１０ａ内で、データおよびオーバーヘッドプロセッサ４２０ａならびに直角位相拡散器４３０ａは、図３におけるプロセッサ３２０ａおよび直角位相拡散器３３０ａと同じ方法で、リバースＣＤＭＡチャネル１に対して処理をそれぞれ実行する。ＲＯＣプロセッサ４２２ｂないし４２２ｍは、それぞれ、リバースＣＤＭＡチャネル１に関係するフォワードＣＤＭＡチャネル２ないしＭに対するＲＯＣチャネルに対して処理を実行する。直角位相拡散器４３２ｂないし４３２ｍは、それぞれ、ＲＯＣプロセッサ４２２ｂないし４２２ｍからのチップを、それぞれ、ロングコード２ないしＭで拡散する。リバースＣＤＭＡチャネル１にマッピングされたＭ個のフォワードＣＤＭＡチャネルに対するＲＯＣチャネルに対して、Ｍ個の異なるロングコードが使用されてもよい。加算器４３４ａは、拡散器４３０ａと、４３２ｂないし４３２ｍとからのＩチップを合計し、リバースＣＤＭＡチャネル１に対してＩ出力チップを提供する。加算器４３４ｂは、拡散器４３０ａと、４３２ｂないし４３２とからのＱチップを合計し、リバースＣＤＭＡチャネル１に対してＱ出力チップを提供する。
【００３４】
ＣＤＭＡチャネルプロセッサ４１０ｂないし４１０ｎは、それぞれ、リバースＣＤＭＡチャネル２ないしＮに対して処理を実行する。リバースＣＤＭＡチャネル２ないしＮのそれぞれは、０、１つ、または複数のフォワードＣＤＭＡチャネルに対するＲＯＣチャネルを伝えてもよい。ＣＤＭＡチャネルプロセッサ４１０ａないし４１０ｎのそれぞれに対して、データ、パイロット、ＲＲＩ、および補助パイロットチャネルは、同じユーザロングコード１で拡散され、異なるフォワードＣＤＭＡチャネルに対するＲＯＣチャネルは、異なるロングコードで拡散される。
【００３５】
図５は、強化されたフィードバック多重化モードの処理を示している。Ｎ個のＣＤＭＡチャネルプロセッサ５１０ａないし５１０ｎは、それぞれ、Ｎ個のリバースＣＤＭＡチャネル１ないしＮに対して処理を実行する。ＣＤＭＡチャネルプロセッサ５１０ａ内で、データおよびオーバーヘッドプロセッサ５２０ａは、（ｉ）リバースＣＤＭＡチャネル１に対するデータ、パイロット、ＲＲＩ、および補助パイロットチャネルと、（ｉｉ）関係するフォワードＣＤＭＡチャネル１ないし４に対するＲＯＣチャネルとに対して処理を実行する。ＲＯＣプロセッサ５２２ｂないし５２２ｄは、リバースＣＤＭＡチャネル１に関係する他のフォワードＣＤＭＡチャネルに対するＲＯＣチャネルに対して処理を実行する。各ＲＯＣプロセッサ５２２が、４つまでの関係するフォワードＣＤＭＡチャネルに対するＲＯＣチャネルに対して処理を実行する。直角位相５３２ｂないし５３２ｄは、それぞれ、ＲＯＣプロセッサ５２２ｂないし５２２ｄからのチップを、それぞれ、ロングコード２ないし４で拡散する。リバースＣＤＭＡチャネル１にマッピングされた１６個までのフォワードＣＤＭＡチャネルに対して、４つまでの異なるロングコードが使用されてもよい。加算器５３４ａおよび５３４ｂは、それぞれ、拡散器５３０ａと、５３２ｂないし５３２ｍとからのＩおよびＱチップを合計し、それぞれ、リバースＣＤＭＡチャネル１に対してＩおよびＱ出力チップを提供する。
【００３６】
ＣＤＭＡチャネルプロセッサ５１０ｂないし５１０ｎは、それぞれ、リバースＣＤＭＡチャネル２ないしＮに対して処理を実行する。リバースＣＤＭＡチャネル２ないしＮのそれぞれは、０、１つ、または複数のフォワードＣＤＭＡチャネルに対してＲＯＣチャネルを伝えてもよい。ＣＤＭＡチャネルプロセッサ５１０ａないし５１０ｎのそれぞれに対して、データ、パイロット、ＲＲＩ、および補助パイロットチャネルは、同じユーザロングコード１で拡散され、４つまでのフォワードＣＤＭＡチャネルの異なる組に対するＲＯＣチャネルは、異なるロングコードで拡散される。
【００３７】
図６は、ＨＲＰＤにおける３つすべてのフィードバック多重化モードに対するデータプロセッサ２１０の設計のブロック図を示している。この設計では、データプロセッサ２１０は、Ｎ個までのリバースＣＤＭＡチャネル上での送信と、Ｎ個までのフォワードＣＤＭＡチャネルに対するフィードバックとをサポートしている。データプロセッサ２１０は、Ｎ個のＣＤＭＡチャネルプロセッサ６２０ａないし６２０ｎを備えている。各ＣＤＭＡチャネルプロセッサ６２０は、（ｉ）１つのリバースＣＤＭＡチャネルに対するデータ、パイロット、ＲＲＩ、および補助パイロットチャネルと、（ｉｉ）１つのフォワードＣＤＭＡチャネルに対するＲＯＣチャネルとに対して処理を実行する。
【００３８】
データプロセッサ２１０内で、Ｎ個のＰＮ発生器６１０ａないし６１０ｎが、それぞれ、１つのリバースＣＤＭＡチャネルに関係するＮ個までのフォワードＣＤＭＡチャネルに対して、Ｎ個の異なるロングコードＰＮT1ないしＰＮTNを発生させる。ＰＮ発生器６１０ａは、それぞれ、Ｎ個のリバースＣＤＭＡチャネル１ないしＮに対するＮ個のＣＤＭＡチャネルプロセッサ６２０ａないし６２０ｎのすべてに、そのロングコードＰＮT1を提供する。Ｎ個すべてのリバースＣＤＭＡチャネルに対するデータ、パイロット、ＲＲＩ、および補助パイロットチャネルに対して、ロングコードＰＮT1が使用される。セレクタ６１２は、ＰＮ発生器６１０ａないし６１０ｎからＮ個のロングコードを受け取り、適切なＲＯＣロングコードＰＮROCを各ＣＤＭＡチャネルプロセッサ６２０に提供する。ＣＤＭＡチャネルプロセッサ６２０に提供されたＲＯＣロングコードは、そのＣＤＭＡチャネルプロセッサによって処理されているフォワードＣＤＭＡチャネルに対するＲＯＣチャネルに対して使用される。フィードバックのない多重化モードの場合、ＰＮROC1＝...＝ＰＮROCN＝ＰＮT1となるように、セレクタ６１２は、Ｎ個すべてのＣＤＭＡチャネルプロセッサ６２０ａないし６２０ｎに対して、ＰＮ発生器６１０ａからのロングコードをＲＯＣロングコードとして提供する。ベーシックフィードバック多重化モードの場合、ＰＮROC1＝ＰＮT1、...、およびＰＮROCN＝ＰＮTNとなるように、セレクタ６１２は、Ｎ個のＣＤＭＡチャネルプロセッサ６２０ａないし６２０ｎに対して、それぞれ、ＰＮ発生器６１０ａないし６１０ｎからのロングコードをＲＯＣロングコードとして提供してもよい。強化されたフィードバック多重化モードの場合、セレクタ６１２は、４つまでのＣＤＭＡチャネルプロセッサ６２０に対して、各ＰＮ発生器６１０からのロングコードをＲＯＣロングコードとして提供してもよい。一般的に、セレクタ６１２の動作は、選択されたフィードバック多重化モードと、リバースＣＤＭＡチャネルに対するフォワードＣＤＭＡチャネルのマッピングとに依存する。
【００３９】
各ＣＤＭＡチャネルプロセッサ６２０は、１つのリバースＣＤＭＡチャネルに対するデータ、パイロット、ＲＲＩ、および補助パイロットチャネルに対して、ロングコードＰＮT1で処理を実行する。各ＣＤＭＡチャネルプロセッサ６２０はまた、１つのフォワードＣＤＭＡチャネルに対するＲＯＣチャネルに対して、ＲＯＣロングコードＰＮROCで処理を実行する。各ＣＤＭＡチャネルプロセッサ６２０は、そのＲＯＣチップを別のＣＤＭＡチャネルプロセッサに提供してもよく、あるいは他のＣＤＭＡチャネルプロセッサからのＲＯＣチップを受け取ってもよい。各ＣＤＭＡチャネルプロセッサ６２０は、１つのリバースＣＤＭＡチャネルに対する出力チップを、関係するデジタルフィルタ２１２に提供する。
【００４０】
各ＣＤＭＡチャネルプロセッサ６２０からの出力チップは、関係するデジタルフィルタ２１２によってフィルタリングされ、関係するローテータ２１４によってデジタル的にアップコンバートされる。加算器２１６は、Ｎ個すべてのローテータ２１４ａないし２１４ｎからのアップコンバートされたサンプルならびにＤＣオフセットを合計し、複合サンプルを提供する。ＤＣオフセットは、図２中のＲＦ送信チェーン２０４におけるミキサ２２４のＬＯフィードスルーを減少させるために使用できるプログラム可能な値であってもよい。ＬＯフィードスルーの量を最小化できるＤＣオフセットの量を決定するために、補正が実行されてもよい。そして、このＤＣオフセットは、加算器２１６に提供されてもよい。
【００４１】
図７は、図６におけるＣＤＭＡチャネルプロセッサ６２０ａの設計を示している。ＣＤＭＡチャネルプロセッサ６２０ａ内で、プロセッサ７１２が、パイロットに対して処理を実行して、パイロットチップを提供する。プロセッサ７１４は、補助パイロットに対して処理を実行する。乗算器７１６は、プロセッサ７１４の出力を利得ＧAPでスケーリングして、補助パイロットチップを提供する。プロセッサ７１８は、ＲＲＩチャネルに対して処理を実行する。乗算器７２０は、プロセッサ７１８の出力を利得ＧRRIでスケーリングしてＲＲＩチップを提供する。プロセッサ７２２は、Ｌ個のデータチャネルに対して処理を実行し、ここでは、
【数２】
0005475022.tif 000004
【００４２】
である。乗算器７２４ａないし７２４ｌは、Ｌ個のデータチャネルに対するプロセッサ７２２の出力を、それぞれ、利得ＧD1ないしＧDLでスケーリングして、データチップを提供する。加算器７２６は、プロセッサ７１２と、乗算器７１６、７２０、および７２４ａないし７１４ｌとからのチップを合計する。直角位相拡散器７２８は、加算器７２６からのチップをロングコードＰＮT1で拡散し、リバースＣＤＭＡチャネル１に対するデータ、パイロット、ＲＲＩ、および補助パイロットチャネルに対するチップを提供する。
【００４３】
プロセッサ７３２は、ＡＣＫおよびＤＳＣチャネルに対して処理を実行する。乗算器７３４は、プロセッサ７３２の出力を利得ＧACK/DSCでスケーリングし、ＡＣＫ／ＤＳＣチップを提供する。プロセッサ７３６は、ＤＲＣチャネルに対して処理を実行する。乗算器７３８は、プロセッサ７３６の出力を利得ＧDRCでスケーリングして、ＤＲＣチップを提供する。直角位相拡散器７４０は、乗算器７３４および７３８からのチップをロングコードＰＮROC1で拡散し、フォワードＣＤＭＡチャネル１に対してＲＯＣチップを提供する。ゲーティングユニット７４２ａないし７４２ｎは、それぞれ、フォワードＣＤＭＡチャネル１ないしＮに対するＲＯＣチップを受け取る。ＲＯＣチャネルのフォワードＣＤＭＡチャネルに対するＲＯＣチャネルがリバースＣＤＭＡチャネル１上で送信された場合に、各ゲーティングユニット７４２が、そのＲＯＣチップを加算器７４４に対して、適切な時間に提供する。
【００４４】
加算器７４４は、拡散器７２８と、ゲーティングユニット７４２ａないし７４２ｎとからのチップを合計する。乗算器７４６は、加算器７４４からのチップを利得Ｇ1でスケーリングして、リバースＣＤＭＡチャネル１に対して出力チップを提供する。利得Ｇ1は、リバースＣＤＭＡチャネル１に対する送信電力によって決定される。利得ＧAP、ＧRRI、ＧD1ないしＧDL、ＧACK/DSCおよびＧDRCは、リバースチャネル１上で送信される異なるデータ、パイロット、およびオーバーヘッドチャネルに対する相対送信電力を決定する。
【００４５】
図７は、ＣＤＭＡチャネルプロセッサ６２０ａの例示的な設計を示している。図６におけるＣＤＭＡチャネルプロセッサ６２０ｂないし６２０ｎのそれぞれは、図７におけるＣＤＭＡチャネルプロセッサ６２０ａと同じ方法で実現されてもよい。Ｎ個のリバースＣＤＭＡチャネルに対する処理もまた、他の方法で実行されてもよい。別の設計では、各ＣＤＭＡチャネルプロセッサは、１つのリバースＣＤＭＡチャネルに対するデータ、パイロット、ＲＲＩ、および補助パイロットチャネルに対して処理を実行し、図７におけるユニット７１２ないし７２８と、ユニット７４２ないし７４６とを備えていてもよい。１つのＲＯＣプロセッサは、すべてのフォワードＣＤＭＡチャネルに対するＲＯＣチャネルに対して処理を実行し、各フォワードＣＤＭＡチャネルに対するＲＯＣチップを適切なＣＤＭＡチャネルプロセッサに提供してもよい。
【００４６】
Ｎ個のリバースＣＤＭＡチャネルに対するデジタル利得Ｇ1ないしＧNは、各ＣＤＭＡチャネルに対する所望の送信電力を実現するように設定してもよい。Ｎ個のリバースＣＤＭＡチャネルは、異なるデータレートおよび／または異なるアクセスポイントとの通信をサポートするための異なる送信電力を有していてもよい。利得Ｇ1ないしＧNはまた、Ｎ個すべてのＣＤＭＡチャネルに対する所望の総送信電力を実現するように設定してもよく、自動利得制御（ＡＧＣ）に対して使用してもよい。１つの設計では、ＲＦ送信チェーン２０４におけるＶＧＡ２２８の利得は粗ステップで変化してもよく、利得Ｇ1ないしＧNは、特定の範囲（例えば、１２ｄＢ）にわたって精ステップ（例えば、０．２５ｄＢ）で変化してもよい。（例えば、ビットの数の観点から）利得Ｇ1ないしＧNの分解能は、（１つの設計において１５ｄＢであるかもしれない）最強および最弱リバースＣＤＭＡチャネルと、所望の精ステップサイズとの間の最大差に基づいて選択されてもよい。
【００４７】
図８は、リバースＣＤＭＡチャネル１に対するデジタルフィルタ２１２ａおよびローテータ２１４ａの設計のブロック図を示している。デジタルフィルタ２１２ａ内で、有限インパルス応答（ＦＩＲ）フィルタ８１２が、ＣＤＭＡチャネルプロセッサ６２０ａからの出力チップを受け取ってフィルタリングする。リバースＣＤＭＡチャネル１上で送信されたＣＤＭＡ信号の所望のスペクトラル特性を取得するために、ＦＩＲフィルタ８１２がパルス整形を実行してもよい。ＦＩＲフィルタ８１２はまた、出力チップを、例えば、チップレートから４倍のチップレート（ｃｘ４）にアップサンプリングしてもよい。所望のフィルタ応答を実現するために、ＦＩＲフィルタ８１２は十分な数のタップで実現してもよい。補間フィルタ８１４は、ＦＩＲフィルタ８１２からのサンプル上で補間を実行し、ｆsampleのサンプルレートでフィルタリングされたサンプルを提供する。このサンプルレートは、１６倍のチップレート（ｃｘ１６）であってもよい。補間フィルタ８１４は、１つ以上のステージで実現してもよく、例えば、１つのステージではｃｘ４からｃｘ８を、同様に、別のステージではｃｘ８からｃｘ１６を実現してもよい。多重搬送波送信機２００によってサポートされる最低ＣＤＭＡチャネルと最高ＣＤＭＡチャネルとの間の最大周波数分離に基づいて、サンプルレートｆsampleを選択してもよい。フィルタ８１２および／またはフィルタ８１４によるアップサンプリングは、フィルタリングされたサンプルを、後続するローテータ２１４ａによって、より高い周波数にデジタル的にアップコンバートすることを可能にする。
【００４８】
ローテータ２１４ａ内で、加算器８２２およびレジスタ８２４は、位相累算器を形成しており、これは、各サンプル期間において、ＣＤＭＡチャネル１に対する周波数ｆ1を累算する。位相累算器のビット幅は、最高アップコンバート周波数と、所望の周波数分解能とに基づいて選択してもよい。例えば、２３ビット位相累算器は、±９．８３ＭＨｚの周波数範囲を２．３４Ｈｚの周波数分解能によってサポートする。各サンプル期間において、加算器８２６は、レジスタ８２４からの現在の位相値を位相オフセットで合計し、ＲＦ送信チェーン２０４におけるＶＧＡ２２８またはＰＡ２３２の異なるステータスに関係する異なる位相に対処するために、この位相オフセットを使用してもよい。
【００４９】
各サンプル期間では、座標回転デジタルコンピュータ（ＣＯＲＤＩＣ）ユニット８２８が、デジタルフィルタ２１２ａからのフィルタリングされた複素サンプルを加算器８２６からの位相分だけ回転させて、アップコンバートされたサンプルを提供する。ＣＯＲＤＩＣユニット８２８は、簡単なシフトおよび加算／減算ハードウェアを用いた三角関数の高速ハードウェア計算を可能にする反復的アルゴリズムを実現する。ＣＯＲＤＩＣユニット８２８はより多くの反復による反復的方法で複素サンプルを回転させて、結果的に生じる出力に対して、より高い正確さを生むことができる。例えば、９回の反復は、±０．２２度の正確さを提供することができる。１つの設計において、ＣＯＲＤＩＣユニット８２８は、１サンプル期間の遅延で、各サンプル期間においてアップコンバートされたサンプルを提供するように、Ｑ・ｆsampleのクロックスピードで動作してもよい。ここで、Ｑは反復の数である。別の設計では、ＣＯＲＤＩＣユニット８２８は、複数のパイプラインステージで実現してもよく、Ｑ・ｆsampleよりも、より低いクロックスピードで動作してもよい。例えば、ＣＯＲＤＩＣユニット８２８は、Ｑパイプラインステージで実現してもよく、クロックスピードのｆsampleで動作し、そして、Ｑサンプル期間のパイプライン遅延で、各サンプル期間においてアップコンバートされたサンプルを提供してもよい。
【００５０】
図９は、図２および６におけるポストプロセッサ２１８の設計のブロック図を示している。ポストプロセッサ２１８内で、Ｉ／Ｑ不整合比較ユニット９１２が、ＲＦへの直角位相アップコンバータにおけるＩパスとＱパスとの間の利得および位相（すなわち、Ｉ／Ｑ）不整合に対処するためにデジタルプリディストーションを実行する。１組のＤＡＣ２２０、アナログローパスフィルタ２２２、およびミキサ２２４は、ＩおよびＱパスのそれぞれに対して使用してもよい。ＩおよびＱパスに対するＤＡＣ、アナログローパスフィルタ、ならびにミキサの異なった利得分だけ、利得の不整合が生じ得る。位相不整合は、正確に９０°位相がずれているのではない、ＬＯ発生器２２６からのＩおよびＱ ＬＯ信号から生じ得る。利得および／または位相不整合は、結果的に、ミキサ２２４からの出力波形において発生されている残留測波帯エネルギ（ＲＳＢ）影像となり得る。ＲＳＢ影像は、最弱ＣＤＭＡチャネルと比較して、比較的大きいので、特に、同時に送信されているＮ個のＣＤＭＡ信号の送信電力において大きな差が存在するときに、このＲＳＢ影像は性能を劣化させるかもしれない。
【００５１】
理想的な直角位相アップコンバータの出力形態は、
【数３】
0005475022.tif 000005
【００５２】
として表すことができ、
ここで、ＸI（ｔ）およびＸQ（ｔ）は、アップコンバータに提供されるＩおよびＱベースバンド信号であり、
Ｙ（ｔ）は、アップコンバータからのアップコンバートされた信号であり、
ωc＝２π・ｆcは、ラジアン／秒あたりのＬＯ周波数である。
【００５３】
理想的でない直角位相アップコンバータの出力は、
【数４】
0005475022.tif 000006
【００５４】
として表すことができ、
ここで、Ｋは利得不整合であり、θは位相不整合である。式（２）は、Ｑ成分における利得および位相の双方の不整合について同様に記述している。
【００５５】
利得および位相不整合を補償するためのプリディストーションは、
【数５】
0005475022.tif 000007
【００５６】
として表すことができ、
ここで、
【数６】
0005475022.tif 000008
【００５７】
は、ＩおよびＱプリディストーションされた信号であり、
Ａ＝tan φであり、Ｂ＝１／（αcos φ）であり、
αは、利得不整合の推定値であり、
φは、位相不整合の推定値である。
【００５８】
パラメータαおよびφは、ＲＦ送信チェーン２０４の補正から取得してもよい。
【数７】
0005475022.tif 000009
【００５９】
となるように、利得および位相不整合の推定値が正確であった場合、プリディストーションによってアップコンバートされた信号は、式（１）に示した理想的なアップコンバートされた信号に近づく。
【００６０】
Ｉ／Ｑ不整合補償ユニット９１２は、ＩおよびＱ複合サンプルを加算器２１６から受け取り、式（３）および（４）に示したようなＩおよびＱプリディストーションされたサンプルを発生させる。加算器２１６からのＩおよびＱ複合サンプルは、式（３）および（４）におけるＸI（ｔ）およびＸQ（ｔ）に対応し、ユニット９１２からのＩおよびＱプリディストーションされたサンプルは、
【数８】
0005475022.tif 000010
【００６１】
に対応している。
【００６２】
補間フィルタ９１４は、ユニット９１２からのサンプル上で補間を実行し、サンプルレートのｆoutでサンプルを提供する。サンプルレートのｆoutは、サンプルレートｆsampleのＫ倍であってもよく、ここで、Ｋは、１、２、４等の選択可能な値であってもよい。補間フィルタ９１４は、（例えば、０．２ｄＢまたはより少ない）小通過帯域ドループと、デジタルフィルタ２１２ａないし２１２ｎによる以前のアップサンプリングからの影像の高阻止を持つ周波数応答で設計されてもよい。補間フィルタ９１４は、１つ以上のステージで実現されてもよく、例えば、１つのステージではｃｓ１６からｃｘ３２を、また、別のステージではｃｓ３２からｃｘ６４を実現してもよい。フィルタ９１４によって提供される阻止は、スプリアス放射要求を満たすために、固定された広帯域アナログローパスフィルタ２２２の使用を可能にする。
【００６３】
粗スケーリングユニット９１６は、所望の数のビットの分だけ左または右のいずれかに各サンプルのビットをシフトさせることによって、粗利得（例えば、４、２、１、０．５、０．２５等）分だけ、フィルタ９１４からのサンプルをスケーリングしてもよい。スケーリングユニット９１６は、粗デジタル利得制御のために使用してもよいのに対して、ＣＤＭＡチャネルプロセッサ６２０ａないし６２０ｎのそれぞれにおける乗算器７４６は、精デジタル利得制御のために使用してもよい。
【００６４】
図２に戻って参照すると、アナログローパスフィルタ２２２は、スプリアス放射要求を満たすために、ＤＡＣ２２０からのアナログベースバンド信号における影像の抑制を提供する。アナログベースバンド信号は、ＤＡＣブロックレート（例えば、ｃｘ６４）での影像と、補間クロックレート（例えば、ｃｘ１６およびｃｘ３２）での影像とを含む。アナログベースバンド信号はまた、ＤＡＣ２２０内のサンプルホールド回路が原因でシンクロールオフを有する。このシンクロールオフは、例えば、図９におけるフィルタ９１４によってデジタル的に対処されてもよい。１つの設計では、アナログローパスフィルタ２２２に対して、固定広帯域フィルタを使用してもよく、また、バンド内ドループの量を制限するために、サポートされた最高信号帯域幅の２倍の帯域幅でその帯域幅を設定してもよい。このフィルタは、バターワースフィルタまたは他の何らかのフィルタであってもよく、適切な次数（例えば、二次）であってもよい。図８および９における補間フィルタ８１４および９１４によって、それぞれ、サンプルが十分にフィルタリングされたとき、このフィルタが影像の所望の除去を提供してもよい。別の設計では、可変フィルタは、アナログローパスフィルタ２２２に対して使用してもよく、実際の最高信号帯域幅に基づいて、その帯域幅を設定してもよい。この可変フィルタは、一次ＲＣフィルタ、二次バターワースフィルタ等であってもよい。
【００６５】
図１０は、複数の周波数チャネル上での送信のプロセス１０００の設計を示している。周波数チャネルは、ＣＤＭＡチャネル、ＧＳＭチャネル、ＲＦチャネル、搬送波等であってもよい。ＨＰＲＤのような特定のシステムにしたがって、複数の周波数チャネルのそれぞれに対して出力チップを発生させてもよい（ブロック１０１２）。ブロック１０１２について、各周波数チャネルに対する処理は、エンコーディング、インターリービング、シンボルマッピング、拡散等を含んでいてもよい。各周波数チャネルに対する出力チップは、その周波数チャネルの送信電力に基づいて選択された利得でスケーリングしてもよい。各周波数チャネルに対する出力チップをデジタル的にフィルタリングして、アップサンプリングし、その周波数チャネルに対するフィルタリングされたサンプルを取得してもよい（ブロック１０１４）。
【００６６】
各周波数チャネルに対するフィルタリングされたサンプルを異なる周波数にデジタル的にアップコンバートして、その周波数チャネルに対するアップコンバートされたサンプルを取得してもよい（ブロック１０１６）。１つの周波数に対するフィルタリングされたサンプルは、０Ｈｚの近くにデジタル的にアップコンバートして、ＤＣで中心付けてもよい。デジタルアップコンバートは、ＣＯＲＤＩＣ計算に基づいて実行してもよい。１つの設計において、複数のパイプラインステージ（例えば、各反復に対して１つのステージ）では、各フィルタリングされたサンプルに対してＣＯＲＤＩＣ計算の複数の反復を実行し、チャネル周波数により決定された位相分だけ、フィルタリングされたサンプルを回転させてもよい。
【００６７】
複数の周波数チャネルに対するアップコンバートされたサンプルを合成して、複数の周波数チャネルに対する信号を含む複合サンプルを取得してもよい（ブロック１０１８）。プリディストーションを複合サンプル上で実行して、ＲＦへの後続するアナログ直角位相アップコンバートの利得および位相不整合を補償してもよい（ブロック１０２０）。第１のサンプルレートから第２のサンプルレートにプリディストーションされたサンプルをアップサンプリングし、出力サンプルを取得してもよい（ブロック１０２２）。第２のサンプルレートは、例えば、送信されている周波数チャネルの数に基づいて選択可能であってもよい。出力サンプルをＤＡＣによってアナログ信号に変換してもよい（ブロック１０２４）。単一のＲＦ送信チェーンによってアナログ信号を処理（例えば、フィルタリング、直角位相アップコンバート、および増幅）して、ＲＦ出力信号を発生させてもよい（ブロック１０２６）。
【００６８】
ブロック１０１２の１つの設計では、ＨＲＰＤに適用可能であってもよいが、少なくとも１つのロングコード（例えば、ＰＮT1ないしＰＮTN）を発生させてもよい。複数の周波数チャネルに対する第１の組の物理層チャネル（例えば、データ、パイロット、ＲＲＩ、および補助パイロットチャネル）は、少なくとも１つのロングコードの中から指定されたロングコード（例えば、ＰＮT1）に基づいて拡散してもよい。複数の周波数チャネルに対する第２の組の物理層チャネル（例えば、ＤＲＣ、ＡＣＫ、およびＤＳＣチャネル）は、少なくとも１つのロングコードに基づいて拡散してもよい。フィードバックのない多重化モードの場合、各周波数チャネルに対する第２の組の物理層チャネルは、指定されたロングコードに基づいて拡散してもよい。ベーシックフィードバック多重化の場合、各周波数チャネルに対する第２の組の物理層チャネルは、異なるロングコードに基づいて拡散してもよい。強化されたフィードバック多重化モードの場合、複数の周波数チャネルのうちの少なくとも２つのサブセットに対する第２の組の物理層チャネルは、少なくとも１つのロングコードの中からの少なくとも２つの異なるロングコードに基づいて拡散してもよい。１つの設計では、例えば、図７に示したように、各周波数チャネルに対する第１の組の物理層チャネルは、指定されたロングコードに基づいて拡散してもよい。各周波数チャネルに対する第２の組の物理層チャネルは、周波数チャネルに対する第２の組に対して選択されたロングコード（例えば、ＰＮROC）に基づいて拡散してもよい。各周波数チャネルに対して、その周波数チャネルの第１の組の物理層チャネルに対する拡散チップと、その周波数チャネルにマッピングされた第２の組の物理層チャネルに対する拡散チップとを合成して、周波数チャネルに対する出力チップを取得してもよい。
【００６９】
図１１は、単一のＲＦ送信チェーンによって複数の周波数チャネルをサポートするためのプロセス１１００の設計を示している。複数の周波数チャネル上の複数のデジタル的にアップコンバートされた信号を伝えるデジタルサンプルストリームをＤＡＣによってアナログに変換して、アナログ信号を取得してもよい（ブロック１１１２）。デジタル的にアップコンバートされた信号のうちの１つは、ＤＣで中心付けてもよく、すなわち、０Ｈｚにアップコンバートしてもよい。ＤＡＣは、広帯域であってもよく、複数の周波数チャネル上でデジタル的にアップコンバートされた信号のすべてを取り扱うために十分なダイナミックレンジを有していてもよい。デジタル的にアップコンバートされた信号は、異なる送信電力レベルで送信されてもよい。ＤＡＣは、複数のデジタル的にアップコンバートされた信号の可能性ある／サポートされる最高周波数に基づいて決定されたクロックレートで動作してもよい。ＤＡＣはまた、送信されている複数のデジタル的にアップコンバートされた信号の最高周波数に基づいて決定された可変クロックレートで動作してもよい。
【００７０】
複数の周波数チャネル上の複数のデジタル的にアップコンバートされた信号を含むアナログ信号をアナログフィルタによってフィルタリングして、フィルタリングされた信号を取得してもよい（ブロック１１１４）。アナログフィルタは、複数のデジタル的にアップコンバートされた信号の可能性ある最高周波数に基づいて決定された固定帯域幅を有していてもよい。アナログフィルタはまた、送信されている複数のデジタル的にアップコンバートされた信号の最高周波数に基づいて決定された可変帯域幅を有していてもよい。フィルタリングされた信号をミキサによってＲＦにアップコンバートしてもよい（ブロック１１１６）。ミキサは、広帯域であってもよく、複数の周波数チャネルをカバーするように設計してもよい。複数の周波数チャネル上の複数のデジタル的にアップコンバートされた信号は、ＨＲＰＤシステムでは複数のＣＤＭＡチャネル上の複数のＣＤＭＡ信号に、または他の通信システムでは他の信号に対応していてもよい。
【００７１】
複数の周波数チャネル上の複数のデジタル的にアップコンバートされた信号は、ＯＦＤＭ信号における複数の副搬送波と以下の方法において異なっていてもよい。第１に、複数の周波数チャネルの周波数を（最低限の空間基準を受けて）独立して選択してもよいのに対して、ＯＦＤＭにおける副搬送波は直角位相を維持するために特定の周波数／位置に制約される。第２に、一般的に、周波数チャネルが、合成する前にフィルタリングまたは帯域制限されるのに対して、ＯＦＤＭにおける副搬送波は合成されてからフィルタリングされる。第３に、サイクリックプレフィックスは、送信機によって各ＯＦＤＭシンボルに添付され、受信機によって除去される。複数のデジタル的にアップコンバートされた信号に対して、サイクリックプレフィックスは使用されない。第４に、各周波数チャネルがデータおよび制御チャネルを伝えてもよいのに対して、ＯＦＤＭでは、一般的に、データは多くの副搬送波によって送信される。第５に、各周波数チャネルは、他の周波数チャネルに独立して送信されたり受信されたりしてもよいのに対して、ＯＦＤＭの場合、一般的に、すべての副搬送波が送信されたり受信されたりする。
【００７２】
当業者であれば、情報および信号は、さまざまな異なる技術や技能のうちの任意のものを用いて表されてよいことを理解するだろう。例えば、上述の説明全体を通して参照されるデータ、命令、コマンド、情報、信号、ビット、シンボル、およびチップは電圧、電流、電磁波、磁界、または磁粒、光学フィールドまたは光粒子、あるいはこれらの任意の組み合わせによって表すことができる。
【００７３】
当業者であれば、ここに開示された実施形態に関して説明されたさまざまな例示的な論理ブロック、モジュール、回路、およびアルゴリズムステップは電子的ハードウェア、コンピュータソフトウェア、または両方の組み合わせとして実現してもよいこともさらに認めるだろう。ハードウェアとソフトウェアのこの互換性を明確に示すために、さまざまな例示的な構成部品、ブロック、モジュール、回路、およびステップを一般的にそれらの機能の点から上記で説明してきた。このような機能をハードウェアまたはソフトウェアとして実現するかは、特定のアプリケーションおよびシステム全体に課された設計制限に左右される。当業者は、特定のアプリケーションのそれぞれに対してさまざまな方法で説明した機能を実現してもよいが、このようなインプリメンテーションの決定は本開示の範囲からの逸脱を生じさせるようには解釈されるべきでない。
【００７４】
ここに開示した実施形態に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラム可能ゲートアレイ（ＦＰＧＡ）または他のプログラム可能ロジックデバイス、ディスクリートゲートまたはトランジスタロジック、ディスクリートハードウェア構成部品、あるいは、ここに記述した機能を実行するように設計されたこれらの任意のものを組み合わせたもので、実現しても、あるいは実行してもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスを組み合わせたものとして、例えば、ＤＳＰとマイクロプロセッサを組み合わせたものとして、複数のマイクロプロセッサとして、ＤＳＰコアに関連した１つ以上のマイクロプロセッサとして、あるいは、このような構成の他の何らかのものとして実現してもよい。
【００７５】
ここに開示した実施形態と関連して記述した方法またはアルゴリズムのステップは、ハードウェアで直接に、プロセッサにより実行されるソフトウェアモジュールで、あるいは、２つのものを組み合わせたもので具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体はプロセッサと一体化してもよい。プロセッサおよび記憶媒体は、ＡＳＩＣに存在していてもよい。ＡＳＩＣは、ユーザ端末に存在していてもよい。代替実施形態では、プロセッサおよび記憶媒体は、ユーザ端末において、ディスクリート構成部品として存在していてもよい。
【００７６】
本開示の先の説明は、当業者が本開示を作り、または使用できるように提供されている。本開示に対するさまざまな修正は、当業者に容易に明らかになるであろう。また、ここで規定されている一般的な概念は、本開示の精神または範囲を逸脱することなく他の変形に適用されてもよい。したがって、本開示は、ここで説明した例および設計に限定されることを意図しているものではないが、ここに開示した概念および新規な機能と矛盾しない最も広範囲に一致させるべきである。
以下に、本願出願時の特許請求の範囲に記載された発明を付記する。
［１］複数の周波数チャネルのそれぞれに対して出力チップを発生させ、各周波数チャネルに対する前記出力チップを異なる周波数にデジタル的にアップコンバートして、前記周波数チャネルに対するアップコンバートされたサンプルを取得し、前記複数の周波数チャネルに対する前記アップコンバートされたサンプルを合成して、前記複数の周波数チャネルに対する信号を含む複合サンプルを取得する少なくとも１つのプロセッサと、
前記少なくとも１つのプロセッサに結合されているメモリとを具備する装置。
［２］前記少なくとも１つのプロセッサは、前記周波数チャネルに対する送信電力によって決定された利得に基づいて、各周波数チャネルに対して前記出力チップを発生させる［１］記載の装置。
［３］前記少なくとも１つのプロセッサは、
各周波数チャネルに対する前記出力チップをデジタル的にフィルタリングして、アップサンプリングし、前記周波数チャネルに対するフィルタリングされたサンプルを取得し、
各周波数チャネルに対する前記フィルタリングされたサンプルをデジタル的にアップコンバートして、前記周波数チャネルに対する前記アップコンバートされたサンプルを取得する［１］記載の装置。
［４］前記少なくとも１つのプロセッサは、座標回転デジタルコンピュータ（ＣＯＲＤＩＣ）計算に基づいて、各周波数チャネルに対する前記フィルタリングされたサンプルをデジタル的にアップコンバートする［３］記載の装置。
［５］前記少なくとも１つのプロセッサは、複数のパイプラインステージにおいて、各フィルタリングされたサンプルに対してＣＯＲＤＩＣ計算の複数の反復を実行し、前記フィルタリングされたサンプルを特定の位相分だけ回転させる［４］記載の装置。
［６］前記少なくとも１つのプロセッサは、前記複合サンプル上でプリディストーションを実行して、無線周波数（ＲＦ）へのアナログ直角位相アップコンバートの利得および位相不整合を補償する［１］記載の装置。
［７］前記少なくとも１つのプロセッサは、第１のサンプルレートから、選択可能である第２のサンプルレートに前記複合サンプルをアップサンプリングする［１］記載の装置。
［８］前記少なくとも１つのプロセッサは、
少なくとも１つのロングコードを発生させ、
前記少なくとも１つのロングコードの中から指定されたロングコードに基づいて、前記複数の周波数チャネルに対する第１の組の物理層チャネルに対して拡散を実行し、
前記少なくとも１つのロングコードに基づいて、前記複数の周波数チャネルに対する第２の組の物理層チャネルに対して拡散を実行する［１］記載の装置。
［９］前記少なくとも１つのプロセッサは、前記指定されたロングコードに基づいて、前記複数の周波数チャネルのそれぞれに対する前記第２の組の物理層チャネルに対して拡散を実行する［８］記載の装置。
［１０］前記少なくとも１つのプロセッサは、異なるロングコードに基づいて、前記複数の周波数チャネルのそれぞれに対する前記第２の組の物理層チャネルに対して拡散を実行する［８］記載の装置。
［１１］前記少なくとも１つのプロセッサは、前記少なくとも１つのロングコードの中からの少なくとも２つの異なるロングコードに基づいて、複数の周波数チャネルのうちの少なくとも２つのサブセットに対する前記第２の組の物理層チャネルに対して拡散を実行する［８］記載の装置。
［１２］前記少なくとも１つのプロセッサは、
前記指定されたロングコードに基づいて、各周波数チャネルに対する前記第１の組の物理層チャネルに対して拡散を実行し、
前記少なくとも１つのロングコードの中から選択されたロングコードに基づいて、各周波数チャネルに対する前記第２の組の物理層チャネルに対して拡散を実行し、
各周波数チャネルに対して、前記周波数チャネルに対する前記第１の組の物理層チャネルに対する拡散チップと、前記周波数チャネルにマッピングされた前記第２の組の物理層チャネルに対する拡散チップとを合成して、前記周波数チャネルに対する前記出力チップを取得する［８］記載の装置。
［１３］前記第１の組の物理層チャネルは、データチャネル、パイロットチャネル、リバースレートインジケータ（ＲＲＩ）チャネル、および補助パイロットチャネルのうちの少なくとも１つを備える［８］記載の装置。
［１４］前記第２の組の物理層チャネルは、データレート制御（ＤＲＣ）チャネル、肯定応答（ＡＣＫ）チャネル、およびデータ源制御（ＤＳＣ）チャネルのうちの少なくとも１つを備える［８］記載の装置。
［１５］前記複数の周波数チャネルは、高レートパケットデータ（ＨＰＲＤ）システムにおける複数のコード分割多元接続（ＣＤＭＡ）チャネルに対応している［１］記載の装置。
［１６］複数の周波数チャネルのそれぞれに対して出力チップを発生させることと、
各周波数チャネルに対する前記出力チップを異なる周波数にデジタル的にアップコンバートして、前記周波数チャネルに対するアップコンバートされたサンプルを取得することと、
前記複数の周波数チャネルに対する前記アップコンバートされたサンプルを合成して、前記複数の周波数チャネルに対する信号を含む複合サンプルを取得することとを含む方法。
［１７］各周波数チャネルに対する前記出力チップをデジタル的にフィルタリングして、アップサンプリングし、前記周波数チャネルに対するフィルタリングされたサンプルを取得することをさらに含み、
各周波数チャネルに対する前記フィルタリングされたサンプルは、前記周波数チャネルに対する前記アップコンバートされたサンプルを取得するためにデジタル的にアップコンバートされる［１６］記載の方法。
［１８］前記複合サンプル上でプリディストーションを実行して、無線周波数（ＲＦ）へのアナログ直角位相アップコンバートの利得および位相不整合を補償することをさらに含む［１６］記載の方法。
［１９］第１のサンプルレートから、選択可能である第２のサンプルレートに前記複合サンプルをアップサンプリングすることをさらに含む［１６］記載の方法。
［２０］前記出力チップを発生させることは、
少なくとも１つのロングコードを発生させることと、
前記少なくとも１つのロングコードの中から指定されたロングコードに基づいて、前記複数の周波数チャネルに対する第１の組の物理層チャネルに対して拡散を実行することと、
前記少なくとも１つのロングコードに基づいて、前記複数の周波数チャネルに対する第２の組の物理層チャネルに対して拡散を実行することとを含む［１６］記載の方法。
［２１］複数の周波数チャネルのそれぞれに対して出力チップを発生させる手段と、
各周波数チャネルに対する前記出力チップを異なる周波数にデジタル的にアップコンバートして、前記周波数チャネルに対するアップコンバートされたサンプルを取得する手段と、
前記複数の周波数チャネルに対する前記アップコンバートされたサンプルを合成して、前記複数の周波数チャネルに対する信号を含む複合サンプルを取得する手段とを具備する装置。
［２２］各周波数チャネルに対する前記出力チップをデジタル的にフィルタリングして、アップサンプリングし、前記周波数チャネルに対するフィルタリングされたサンプルを取得する手段をさらに具備し、
各周波数チャネルに対する前記フィルタリングされたサンプルは、前記周波数チャネルに対する前記アップコンバートされたサンプルを取得するためにデジタル的にアップコンバートされる［２１］記載の装置。
［２３］前記複合サンプル上でプリディストーションを実行して、無線周波数（ＲＦ）へのアナログ直角位相アップコンバートの利得および位相不整合を補償する手段をさらに具備する［２１］記載の装置。
［２４］第１のサンプルレートから、選択可能である第２のサンプルレートに前記複合サンプルをアップサンプリングする手段をさらに具備する［２１］記載の装置。
［２５］前記出力チップを発生させる手段は、
少なくとも１つのロングコードを発生させる手段と、
前記少なくとも１つのロングコードの中から指定されたロングコードに基づいて、前記複数の周波数チャネルに対する第１の組の物理層チャネルに対して拡散を実行する手段と、
前記少なくとも１つのロングコードに基づいて、前記複数の周波数チャネルに対する第２の組の物理層チャネルに対して拡散を実行する手段とを備える［２１］記載の装置。
［２６］コンピュータプログラムプロダクトにおいて、
コンピュータ読み取り可能な媒体を含み、
前記コンピュータ読み取り可能な媒体は、
複数の周波数チャネルのそれぞれに対して出力チップをコンピュータに発生させるためのコードと、
各周波数チャネルに対する前記出力チップを異なる周波数へ、前記コンピュータにデジタル的にアップコンバートさせて、前記周波数チャネルに対するアップコンバートされたサンプルを取得させるためのコードと、
前記複数の周波数チャネルに対する前記アップコンバートされたサンプルを、前記コンピュータに合成させて、前記複数の周波数チャネルに対する信号を含む複合サンプルを取得させるためのコードとを含むコンピュータプログラムプロダクト。
［２７］複数の周波数チャネル上の複数のデジタル的にアップコンバートされた信号を含むアナログ信号をフィルタリングして、フィルタリングされた信号を提供するように構成されているアナログフィルタと、
前記フィルタリングされた信号を無線周波数（ＲＦ）にアップコンバートするように構成されているミキサとを具備する装置。
［２８］前記アナログフィルタは、前記複数のデジタル的にアップコンバートされた信号の可能性ある最高周波数に基づいて決定された固定帯域幅を有する［２７］記載の装置。
［２９］前記アナログフィルタは、前記複数のデジタル的にアップコンバートされた信号の最高周波数に基づいて決定された可変帯域幅を有する［２７］記載の装置。
［３０］デジタルサンプルストリームをアナログに変換して、前記アナログ信号を提供するように構成されているデジタルアナログ変換器（ＤＡＣ）をさらに具備する［２７］記載の装置。
［３１］前記ＤＡＣは、前記複数のデジタル的にアップコンバートされた信号の可能性ある最高周波数に基づいて決定されたクロックレートで動作する［３０］記載の装置。
［３２］前記ＤＡＣは、前記複数のデジタル的にアップコンバートされた信号の最高周波数に基づいて決定された可変クロックレートで動作する［３０］記載の装置。
［３３］前記複数の周波数チャネル上の前記複数のデジタル的にアップコンバートされた信号は、高レートパケットデータ（ＨＲＰＤ）システムにおける複数のコード分割多元接続（ＣＤＭＡ）チャネル上の複数のＣＤＭＡ信号に対応している［２７］記載の装置。
［３４］複数の周波数チャネル上の複数のデジタル的にアップコンバートされた信号を含むアナログ信号をフィルタリングして、フィルタリングされた信号を取得する手段と、
前記フィルタリングされた信号を無線周波数（ＲＦ）にアップコンバートする手段とを具備する装置。
［３５］デジタルサンプルストリームをアナログに変換して、前記アナログ信号を取得する手段をさらに具備する［３４］記載の装置。
【図１】
0005475022.tif 000011
【図２】
0005475022.tif 000012
【図３】
0005475022.tif 000013
【図４】
0005475022.tif 000014
【図５】
0005475022.tif 000015
【図６】
0005475022.tif 000016
【図７】
0005475022.tif 000017
【図８】
0005475022.tif 000018
【図９】
0005475022.tif 000019
【図１０】
0005475022.tif 000020
【図１１】
0005475022.tif 000021